(57)【特許請求の範囲】
【請求項１】
焦点を形成するＸ線管（７．１）と、画素を形成する複数の検出器素子（２．１）を有するデジタルフラットパネル検出器（２）と、プログラムメモリを有するコンピュータシステム（１１）とからなるエミッタ検出器システムを備えている、投影吸収レコードを生成するためのＸ線装置における患者（６）の干渉Ｘ線撮像のための補助システムであって、
１．１  移動式格子アタッチメント（３）を含み、該移動式格子アタッチメント（３）は、前記デジタルフラットパネル検出器の１つの部分領域だけをカバーし、さらに、
１．１．１  第１の干渉Ｘ線格子（Ｇ１）と、
１．１．２  前記第１のＸ線格子から距離をおいて照射方向に配置された第２の干渉Ｘ線格子（Ｇ２）と、
１．１．３  前記第２のＸ線格子（Ｇ２）を少なくとも１つの検出器素子（２．１）上方の当該第２のＸ線格子（Ｇ２）の平面内で段階的に変位させる変位装置（１２）とを備えており、さらに
１．２  前記コンピュータシステム（１１）内に記憶され実行されるコンピュータプログラム（Ｐｒｇ１−Ｐｒｇｎ）を含み、該コンピュータプログラム（Ｐｒｇ１−Ｐｒｇｎ）は、前記補助システムを制御し、かつ、少なくとも１つの干渉Ｘ線画像を作成し、
１．３  位置識別システムが前記移動式格子アタッチメント（３）および／または前記デジタルフラットパネル検出器（２）に配置され、さらに位置表示システムが、前記移動式格子アタッチメントによってカバーされる領域を、直接患者（６）上に表示するように設けられている、補助システムにおいて、
前記移動式格子アタッチメント（３）の位置を被検体上に投影する複数の光マークを生成する装置（７．２）が、前記Ｘ線管（７．１）の領域に配置されており、
前記コンピュータプログラム（Ｐｒｇ１−Ｐｒｇｎ）は、事前に記録された患者（６．１）の投影Ｘ線吸収画像において特別な関心領域（９）を特徴付け、かつ、前記複数の光マークを生成する装置により前記デジタルフラットパネル検出器（２）に当該関心領域を描写する方法をエミュレートし、これにより、前記移動式格子アタッチメント（３）は、リスト「位相画像、微分位相画像、暗視野画像、吸収画像」から、当該関心領域（９）の少なくとも１つの干渉Ｘ線画像を生成するために位置決め可能となる、
ことを特徴とする補助システム。
【請求項２】
吸収格子（Ｇ０）を有する格子フロントアタッチメント（８）が、前記Ｘ線管（７．１）に設けられている、請求項１記載の補助システム。
【請求項３】
前記吸収格子（Ｇ０）は、前記格子フロントアタッチメント（８）内で可動可能に配設されている、請求項２記載の補助システム。
【請求項４】
前記移動式格子アタッチメント（３）は、前記デジタルフラットパネル検出器（２）へ直接載置されるように構成されている、請求項１から３いずれか１項記載の補助システム。
【請求項５】
前記位置識別システムは複数の位置センサ（１４）を有し、前記複数の位置センサ（１４）は、前記デジタルフラットパネル検出器（２）内に統合され、かつ前記移動式格子アタッチメント（３）内の位置発信器を検出する、請求項１から４いずれか１項記載の補助システム。
【請求項６】
焦点（７）を形成するＸ線管（７．１）と、画素を形成する複数の検出器素子（２．１）を有するデジタルフラットパネル検出器（２）と、プログラムメモリを有するコンピュータシステム（１１）とを含むエミッタ検出器システムを備えている、投影吸収撮像のために構成されているＸ線装置（１）において、
前記Ｘ線装置（１）は、リスト「位相画像、微分位相画像、暗視野画像、吸収画像」から少なくとも１つの干渉Ｘ線画像を追加的に生成するための、請求項１から５いずれか１項記載の補助システムを有していることを特徴とするＸ線装置（１）。
【請求項７】
前記Ｘ線装置は、次のようなタイプ、すなわちマンモグラフィシステム、Ｃアームシステム、ウォールスタンドを備えた胸部Ｘ線装置のようなタイプのリストからの装置である、請求項６記載のＸ線装置（１）。
【請求項８】
前記デジタルフラットパネル検出器（２）に、前記移動式格子アタッチメント（３）のための自動位置決め装置（１４）が配置されており、該自動位置決め装置（１４）は、前記移動式格子アタッチメント（３）を、事前に記録された吸収レコードにおける先行のエントリに応じて位置決めする、請求項６または７記載のＸ線装置（１）。
【発明の詳細な説明】
【技術分野】
【０００１】
本発明は、焦点を形成するＸ線管と、画素を形成する複数の検出器素子を有するデジタルフラットパネル検出器と、プログラムメモリを有するコンピュータシステムとからなるエミッタ検出器システムを備えている、投影吸収レコードを生成するためのＸ線装置における患者の干渉Ｘ線撮像のための補助システムに関する。さらに本発明は、上記の補助システムを有している、エミッタ検出器システムを備えた投影吸収レコードを生成するＸ線装置にも関している。
【０００２】
干渉Ｘ線撮像は、Ｘ線撮像システム内への１つ、２つまたは３つの格子の導入に基づいている。典型的にはこれらの格子は、それらのビーム経路における順序に応じてＧ０，Ｇ１およびＧ２と称される。吸収格子Ｇ０は、Ｘ線源の近傍に位置し、比較的大きなＸ線焦点の場合でも撮像のために必要なコヒーレンス条件の維持を保障している。Ｘ線焦点が非常に小さい、すなわち１００μｍよりも小さい範囲にある場合には、吸収格子は不要であり、省略することが可能である。大抵は吸収格子は、平行に配置された複数の格子ラメラ（格子ウェブとも称される）からなる一次元格子として構築され、それによってコヒーレンス条件が一方向においてのみ満たされている。しかしながらそれはまた、チェス盤のように構築させることも可能であり、それによって、所要のコヒーレンス条件が両方向で満たされる。
【０００３】
格子ラメラ間の距離は、典型的にはラウエ効果が満たされるように構成されている。それにより画像平面内では個々の格子切り欠きの構造的な重畳が生じる。
【０００４】
第１の位相格子Ｇ１を用いることにより、第１の格子Ｇ１から所定の距離において格子の自己像を生成するタルボ効果が使用される。格子Ｇ１の自己像は、ビーム経路内に被検体を挿入することによって干渉される。この干渉からは、吸収、微分位相シフト並びに暗視野に関する画像情報を得ることができる。
【０００５】
医療用のデジタルフラットパネル検出器が使用されている場合、一般的にこの検出器の分解能は、干渉パターンを読み取るために十分ではない。そのためさらなる格子Ｇ２の導入が必要となる。この格子は、その格子周期に関して、格子Ｇ１の未干渉の自己像に適合化される。画像情報は、１つの格子、典型的には格子Ｇ２の変位と、オブジェクトなしの画像およびオブジェクトありの画像の読み取りとによって得ることができる。基本的には、干渉Ｘ線画像の生成のために相応に組み込まれた格子装置を有するＸ線装置が公知である。例えばこれに関しては、独国特許出願公開第１０２００６０１５３５５号明細書（ＤＥ１０２００６０１５３５５Ａ１）またはＰｆｅｉｆｆｅｒによる公知文献“Ｐｈａｓｅ  ｒｅｔｒｉｅｖａｌ  ａｎｄ  ｄｉｆｆｅｒｅｎｔｉａｌ  ｐｈａｓｅ−ｃｏｎｔｒａｓｔ  ｉｍａｇｉｎｇ  ｗｉｔｈ  ｌｏｗ−ｂｒｉｌｌｉａｎｃｅ  Ｘ−ｒａｙ  ｓｏｕｒｃｅｓ，  Ｎａｔｕｒｅ  Ｐｈｙｓｉｃｓ，  ２５８−２６１，  ２００６”が参照される。
【０００６】
そこに示されているＸ線装置の１つの問題は、そこに必要とされる大きさのＸ線光学格子の製造が非常に複雑であり、現在は５０ｍｍ×５０ｍｍの大きさの格子しか製造することができないため、結果としてその構造が非常に高価なものになっている点にある。そのような複数の格子のモジュールアセンブリも同様に大きな問題をもたらす。
【０００７】
それ故本発明の課題は、干渉Ｘ線画像を生成する単純な既存の投影Ｘ線装置が少なくともそこに用いられているデジタルフラットパネル検出器の比較的小さな部分領域の使用のもとで利用できる解決手段を見つけることにある。
【０００８】
前記課題は、独立請求項に記載の特徴によって解決される。本発明の好ましい改善形態は、従属請求項の態様である。
【０００９】
本発明者らは、デジタルフラットパネル検出器を備えた既存の投影Ｘ線装置に、少なくとも２つの干渉Ｘ線格子からなる補助システムを装備させることと、それを用いて干渉Ｘ線撮像を実施することが可能であることを認識した。これに対して、例えばマンモグラフィシステム、胸部Ｘ線システムまたはＣアームシステムも、対応する移動式格子アタッチメントを用いて補助することが可能である。本発明によれば、その際のＸ線装置の運転プログラムも相応のプログラム補助によって支援され、それによってＸ線装置のコンピュータは、さらに、補助装置の制御のために用いられ、干渉測定の際の画像データの評価も担う。従ってそのような補助システムによって実施可能な干渉測定を用いることにより、通常の吸収画像の他に、微分位相画像も暗視野画像も生成することができるようになる。評価のためには、少なくとも２つ、あるいは３つ全ての画像がマージ可能か、または相互に平行して表示可能である。ここで使用される投影Ｘ線装置に応じて、この干渉Ｘ線画像も投影画像である。
【００１０】
それに従って本発明者らは、焦点を形成するＸ線管と、画素を形成する複数の検出器素子を有するデジタルフラットパネル検出器と、プログラムメモリを有するコンピュータシステムとからなるエミッタ検出器システムを備えている、投影吸収レコードを生成するためのＸ線装置における患者の干渉Ｘ線撮像のための補助システムを提案した。このシステムは、
移動式格子アタッチメントを含み、該移動式格子アタッチメントは、
第１の干渉Ｘ線格子と、
前記第１のＸ線格子から距離をおいて照射方向に配置された第２の干渉Ｘ線格子と、
前記第２のＸ線格子を少なくとも１つの検出器素子上方の当該第２のＸ線格子の平面内で段階的に変位させる変位装置とを備えており、さらに
前記コンピュータシステム内に記憶され実行されるコンピュータプログラムを含み、該コンピュータプログラムは、補助装置を制御し、少なくとも１つの干渉Ｘ線画像を作成する。
【００１１】
基本的には、Ｘ線装置に使用される焦点が所要のコヒーレンス条件を満たすために十分に小さい場合には、上述した補助システムを用いて投影干渉撮像を実現することは可能である。しかしながら使用するＸ線管が過度に大きい焦点を有している場合には、コヒーレンス条件をラメラ状の格子構造のもとで少なくとも一方向において満たすために、吸収格子を備えた格子フロントアタッチメントをＸ線管に取り付けることが可能である。また代替的に、コヒーレンス条件が両方向で満たされるように、チェス盤状の構造を選択することも可能である。この手段は、干渉画像のために過度に長い測定時間を必要としないくらい十分に高い線量をもたらすＸ線管への使用も許容する。
【００１２】
吸収格子の使用において、好ましくは、吸収格子は格子フロントアタッチメント内で可動に配置される。それにより例えばこの格子は、干渉検査のためにビーム経路内に押し込むかまたは傾斜させることが可能になる。それに対して、通常の吸収レコードの場合にはビーム経路から除去される。
【００１３】
さらにこの補助システムは、次のように構成することが可能である。すなわち、２つの干渉格子を有する格子アタッチメントが、フラットパネル検出器に直接載置されるように構成することが可能である。大抵の場合、フラットパネル検出器は、投影吸収撮像の場合に、患者の比較的近くに配置される。しかしながら格子アタッチメントは、２つの干渉格子間の所要の距離に基づいて無視できない構造高さを有しているので、補助システムを使用する場合には、フラットパネル検出器と患者との間で、それらの間に格子アタッチメントを配置できるようにするために、相応の距離を維持しなければならない。検査のために使用されるビーム経路の開きに基づいて、格子アタッチメントを用いて検査される領域の拡大も相応に生じる。それは例えばマンモグラフィ検査の場合、典型的には１．３倍乃至２倍の拡大倍率の範囲にある。
【００１４】
大抵のケースにおいて、本発明に係る補助システムは、フラットパネル検出器上の格子アタッチメントが、フラットパネル検出器の１つの部分領域のみをカバーするように構成される。それに応じてそこでは格子アタッチメントの位置を決定する必要がある。この目的のために、本発明によれば、位置識別システムが設けられていてもよく、これは例えば格子アタッチメントに、および／またはフラットパネル検出器に配置され、さらに位置表示システムが存在すべきであり、それによって、補助システムによってカバーされた領域が患者やその画像表示部に直接表示される。その際、フラットパネル検出器に載置された格子アタッチメントと患者上の干渉走査領域の位置表示との間で結合が生じる。患者への表示に対して代替的に若しくは補足的に、モニタ上にも、写真画像レコード内の若しくは先行時点で生成された患者の吸収Ｘ線レコード内の格子アタッチメントによってカバーされた領域をフラットパネル検出器上の格子アタッチメントの位置決めに応じて表示することも可能である。それにより操作者は、干渉格子の所望の位置決めを簡単に行うことができる。
【００１５】
相応に位置識別システムは、フラットパネル検出器内に統合され、かつ格子アタッチメント内の位置発信器を検出する複数の位置センサを有していてもよい。さらに格子アタッチメントの位置を、被検体上に投影する複数の光マークを生成する装置が、Ｘ線管の領域に配置されていてもよい。
【００１６】
さらなる変形形態によれば、コンピュータプログラムは、被検体の事前に記録された投影Ｘ線吸収画像において特別な関心領域を特徴付けて、当該領域を複数の光マークを生成する装置により、フラットパネル検出器に描写する方法もエミュレートし、これにより、格子アタッチメントは、当該領域の少なくとも１つの干渉Ｘ線画像を生成するために位置決めされ得る。この場合、少なくとも１つの干渉Ｘ線画像は、干渉測定データから得られる位相画像および／または微分位相画像および／または暗視野画像および／または吸収画像であり得る。ここでは、本発明の範囲に対して、干渉Ｘ線撮像の概念の下では上記した画像の組み合わせも、場合によっては重み付けされた組み合わせも含まれることを述べておく。またこの場合の重み付けは、自動的に行うこともできるし、少なくとも１つの重み付け係数を手動で調整することによって制御することもできる。
【００１７】
上述の補助装置の他に、本発明者らは、Ｘ線装置も提案しており、このＸ線装置は、投影吸収撮像のために構成されており、焦点を形成するＸ線管と、画素を形成する複数の検出器素子を有するデジタルフラットパネル検出器と、プログラムメモリを有するコンピュータシステムとを含むエミッタ検出器システムを備えており、この場合このＸ線装置は、前述した干渉Ｘ線画像の少なくとも１つを付加的に生成するための本発明に係る補助システムを有している。
【００１８】
特に前記補助システムを、マンモグラフィシステム、Ｃアームシステム、またはウォールスタンドを備えた胸部Ｘ線装置と組み合わせることが提案される。
【００１９】
この場合特に好ましくは、このＸ線装置は、そのフラットパネル検出器に、格子アタッチメントのための自動位置決め装置を有しており、該位置決め装置は、格子アタッチメントを、事前に記録された吸収レコードにおける先行のエントリに応じて位置決めするように構成されている。この場合、補足されたコンピュータソフトウェア内には、格子アタッチメントの自動的な位置決めを実施する相応のルーチンが含まれる。
【００２０】
以下では本発明を、好ましい実施形態に基づき、図面を用いてより詳細に説明するが、ここでは、本発明の理解のために必要な特徴だけが示されている。そこでは次の参照符号が使用されている。すなわち、１：Ｘ線装置、２：フラットパネル検出器、２．１：検出器素子、３：格子アタッチメント、４：圧迫プレート、５：圧迫プレート、６：被検体、６．１：患者、７：焦点、７．１：Ｘ線管、７．２：記録および表示システム、８：格子フロントアタッチメント、９：特別な関心領域、１０：コーンビーム、１０．１：制限されたコーンビーム、１１：コンピュータ／計算機システム、１２：変位装置、１３：可動遮蔽部、１４：センサ／アクチュエータ、１５：部分領域、Ｇ０：吸収格子、Ｇ１：第１の干渉格子、Ｇ２：第２の干渉格子、Ｐｒｇ１−Ｐｒｇｎ：コンピュータプログラムが使用されている。
【図面の簡単な説明】
【００２１】
【図１】干渉Ｘ線撮像のための補助システムを備えたマンモグラフィシステムの概略図
【図２】干渉Ｘ線撮像のための補助システムを備えたＣアームシステムの概略図
【図３】干渉Ｘ線撮像のための補助システムを備えた胸部Ｘ線装置の概略図
【００２２】
発明を実施するための形態
図１には、第１の変化実施形態において概略的にマンモグラフィシステム１が示されており、このマンモグラフィシステムでは、（詳細には示されていない）Ｘ線管において焦点７を用いてコーンビーム１０が生成され、このコーンビームは、電子フラットパネル検出器２の方に配向されている。フラットパネル検出器２は、多数の検出器素子２．１を有しており、これらの検出器素子は、１つの平面に配置されており、それによって各検出器素子２．１は、画像再生のためにＸ線画像の１つの画素を形成している。焦点７の下流側のビーム経路内では、Ｘ線管に、吸収格子Ｇ０を有する格子フロントアタッチメント８が配置されており、この格子フロントアタッチメントは、並列に配置された多数の格子ウェブ若しくは格子ラメラを用いて、非常に狭幅な多数のＸ線源を形成し、それによって干渉検査のためのコヒーレンス条件を充足している。被検体、すなわち女性患者の乳房６は、マンモグラフィＸ線記録の際に通常であるように２つの圧迫プレート４，５の間に位置している。先行するＸ線吸収撮像に基づいて、特別な関心領域９が発見されており、この関心領域は、ここに示されている干渉検査によってより正確に観察されるべきである。それに応じて、移動式格子アタッチメント３が、乳房とフラットパネル検出器２との間のビーム経路内に設けられている。それによって検査すべき乳房の領域は、フラットパネル検出器２上の部分領域１５に相応しており、それに対して格子アタッチメント３が投影される。相応に制限されたコーンビーム１０．１は、一点鎖線によって示されている。格子アタッチメント３内には、照射方向において相前後して面平行に配置された第１の干渉格子Ｇ１とそこから離間されて配置された第２の干渉格子Ｇ２とが存在している。本実施形態によれば、第２の格子Ｇ２は、１つ以上のアクチュエータの形態の変位装置１２と接続されており、それによってこの格子は、下流側に存在する検出器素子の吸収値から、それ自体公知の方法でＸ線放射の位相情報を得るために、各測定の前に漸進的に変位可能である。
【００２３】
基本的には、２つの格子Ｇ１およびＧ２は、互いに所定の固定の距離に配置することが提案されており、この距離は、検査に使用されるＸ線エネルギーに適合化されている。しかしながら本発明の範囲内には、格子Ｇ１とＧ２との間の設定可能な距離のための付加的な設定装置を意図した移動式格子アタッチメントの変化形態も含まれ、それによって、様々なＸ線エネルギーへの適合化が可能である。
【００２４】
現在の良好な品質の格子は、約５０ｍｍ×５０ｍｍのサイズまでしか投影することができず、１つの大きな格子のための複数の個別格子のモジュールアッセンブリは非常に手間をかけた場合にしか高品質を達成することができないので、格子アタッチメントによってカバーされるフラットパネル検出器上の面積部分も、好ましくはこのレベル範囲内で変動する。さらに干渉測定のためには比較的高い線量出力が用いられなければならないので、この実施形態では、付加的にさらに、複数の個別可動遮蔽部１３を有する任意の遮蔽システムを説明する。これらの可動遮蔽部１３は、好ましくは、格子アタッチメント３が行う位置決めに基づいて、あるいは既にモニタ上で画定された特別な関心領域９に基づいて自動的に設定される。
【００２５】
マンモグラフィからは、基本的にその上で乳房が位置付けされて上から圧迫プレートを用いて圧縮されるいわゆる拡張テーブルが公知である。この拡張テーブルを使用した場合、上側の検出器カバーは、付加的な吸収体による画像信号の減衰を可及的に僅かに抑えるためにこの拡張テーブルによって置き換えることが可能である。本発明によれば、格子アタッチメント３は、そのような拡張テーブルを利用することができ、検出器と拡張テーブルの圧迫プレートとの間に挿入され得る。また代替的に、格子アタッチメントは、そのような可変の載置可能な拡張テーブルに統合されていてもよく、その場合には、好ましくは、自動位置決め装置も格子アタッチメント３のために設けられていてもよい。
【００２６】
本発明の実施形態によれば、格子アタッチメント３は、有線接続を介してコンピュータ１１に接続されている。それによりこのコンピュータは、その中に記憶され実行されるプログラムＰｒｇ１−Ｐｒｇｎを用いて、マンモグラフィシステムの制御の他に、補助装置を制御することも可能になる。いずれにせよ基本的には本発明の範囲内では、補助装置のそのような接続が無線で、例えば安全なブルートゥース接続またはＷＬＡＮ接続を介して行われる場合もある。もちろんこのためには、通常の送信器と受信器を、補助システム内に、特に格子アタッチメント３内とコンピュータ１１内に存在させなければならない。
【００２７】
ここで説明した、干渉検査のための付加的な補助を用いたマンモグラフィシステムによれば、付加的な例えば患者の選択された部分領域に対する位相コントラストレコードまたは暗視野レコードの形態の干渉画像情報によって改善された微分位相診断が安価な方法で可能になる。この場合提案された補助システムは、既存のマンモグラフィシステムで容易に用いることが可能である。
【００２８】
補助システムの他の適用においては、この補助システムを、図２に例示的に示されるようなそれ自体公知のＣアームシステム１につなげて使用することもできる。このＣアームシステム１は、Ｘ線管７．１と反対側にあるデジタルフラットパネル検出器２とからなる、Ｃアームに配置された可動のエミッタ検出器システムを有している。Ｘ線管７．１には、格子フロントアタッチメント８が配設されており、その中には必要に応じて前置接続可能な吸収格子Ｇ０が存在する。その他にもまたＸ線管には、光ベースの記録および表示システム７．２が設けられている。これにより患者載置台に横たわる患者６．１を、コンピュータ１１のモニタ上に表示することができ、光マークを患者６．１に生成することができるようになる。さらに本発明によれば、フラットパネル検出器２上に、２つの干渉格子Ｇ１およびＧ２が存在する格子アタッチメント３が載置される。さらに検出器２には、２つのセンサおよび／またはアクチュエータ１４が格子アタッチメント３のために設けられており、それにより一方では、格子アタッチメント３の位置を検出することができるようになり、かつ／またはコンピュータ１１を介した制御によって駆動制御できるようになる。従って格子アタッチメント３の場合によっては手動または半手動の位置決めに応じて、記録および表示システム７．２を使用して格子アタッチメント３の投影位置が患者６．１に表示可能となる。また代替的に、コンピュータ１１における患者６．１の画像若しくはＸ線撮像の相応のマーキングによっても格子アタッチメント３の所望の位置が操作者によって又は自動的に決定され得る。それによりシステムは、そのことに基づいて格子アタッチメント３の正確な位置決めを行う。格子アタッチメント３の位置決めに応じて、Ｘ線管から照射されるビーム束も、制御可能な遮蔽部を用いて、検出器２の干渉検査すべき部分領域に制限することが可能である。
【００２９】
ここで補足的に留意すべきことは、格子アタッチメント３を、比較的不安定なＣアームではなく、直接Ｃアームの懸架装置にまたは直接検査室の天井若しくは床に固定することも、有利であり得る点である。Ｃアームとは逆に僅かな重量に基づいて、はるかに安定した位置決めが設定され、これらを時間的に良好に維持することが可能となる。格子Ｇ１およびＧ２を有する格子アタッチメント３は、これによってＣアームに対して平行に移動することができ、但しこれの技術的振動面からは切り離される。このことは、振動若しくは相対運動の影響は、どのオブジェクト間で相対運動が生じているかに強く依存しているので、有利である。最大の安定性は、格子Ｇ１とＧ２との間で必要とされる。なぜなら、ここでは既に数μｍの相対運動が画像品質に悪影響を及ぼすからである。それに対してＸ線管と検出器との間の相対運動は、一桁から二桁のレベル範囲で大きくてもよく、それが画像品質に強く悪影響を及ぼすことはない。
【００３０】
本発明に係る補助システムのさらなる適用ケースは、胸部Ｘ線装置１を概略的に示した図３を用いて説明する。そのような胸部Ｘ線装置は、業界内ではバッキーウォールスタンドとも称されている。この装置は、可動なフレームに固定されたＸ線管７．１を有しており、このＸ線管からはコーンビーム１０が、通常は水平方向に、相対向する側のフラットパネル検出器２に向けて配向されている。この場合フラットパネル検出器２は、ここでは詳細には図示されていない機構を介してＸ線管７．１と次のように連結されている。すなわちフラットパネル検出器２が、Ｘ線管７．１の垂直移動と常に連動する一方で、Ｘ線管７．１の自由な水平移動が可能であるように連結されている。そのような移動のもとで、コーンビーム１０の拡張だけは調整可能な遮蔽部によって変更され、それによって不要な放射線量が、検出器外に放射されることはない。
【００３１】
本発明によれば、フラットパネル検出器２の部分領域１５のための干渉検査を可能にする格子アタッチメント３は、検出器２の前に置かれている。ここでは両格子Ｇ１およびＧ２は、所要の距離で固定的に組み込まれていてもよいし、それらは異なる所定の間隔で挿入することができ、あるいは格子の間隔を自動的に設定調整する自動設定装置が置かれていてもよい。この装置は、格子Ｇ１およびＧ２が互いに高精度に配向されるように構成されている。さらにまた、焦点若しくは吸収格子と検出器との間の区間の自動測定を介して、格子Ｇ１およびＧ２の自動的な新たな位置決めを実施することが可能である。それにより干渉検査のために必要な距離条件が維持される。
【００３２】
格子アタッチメント３内にここでも２つの格子Ｇ１およびＧ２が収容されているならば、ここでは格子Ｇ１が摺動可能に配置される。Ｘ線コーンビーム１０若しくは制限されたＸ線コーンビーム１０．１の発散に基づいて、やや多くのスペースが変位装置１２のために存在している。
【００３３】
基本的にはここでも、格子アタッチメント３の位置決めを所望のやり方で手動、半手動若しくは全自動で実施するために、格子アタッチメント３のための自動位置決め装置および／または位置決定装置および／または光ベースの記録および／または表示システムを、患者６．１の前方で使用することが可能である。
【００３４】
その後の干渉検査自体は、付加的にコンピュータ１１内にインストールされているコンピュータプログラムＰｒｇ１−Ｐｒｇｎを使用して実施される。その結果、ここでも選択された部分領域の位相コントラストレコードおよび暗視野レコードが生成され得る。それらは個別に若しくは重み付けされた組み合わせにおいて、または吸収レコードとの組み合わせにおいても表示することが可能である。
【００３５】
特に、ここに記載する補助システムは、公知の方法でバッキーウォールスタンドに挿入することができる移動式検出器に繋げて使用することもできる。
【００３６】
本発明は、好適な実施形態によって詳細に図示され、説明もしてきたが、本発明は、開示された例によって限定されるものではなく、その他の変化形態が、本発明の権利範囲から逸脱することなく、当業者によってそこから導き出すことが可能である。
【符号の説明】
【００３７】
１      Ｘ線装置
２      フラットパネル検出器
２．１  検出器素子
３      格子アタッチメント
４      圧迫プレート
５      圧迫プレート
６      被検体
６．１  患者
７      焦点
７．１  Ｘ線管
７．２  記録および表示システム
８      格子フロントアタッチメント
９      特別な関心領域
１０    コーンビーム
１０．１  制限されたコーンビーム
１１    コンピュータ／計算機システム
１２    変位装置
１３    可動遮蔽部
１４    センサ／アクチュエータ  
１５    部分領域
Ｇ０    吸収格子
Ｇ１    第１の干渉格子
Ｇ２    第２の干渉格子
Ｐｒｇ１−Ｐｒｇｎ  コンピュータプログラム
【図１】
0006388958.tif 000002
【図２】
0006388958.tif 000003
【図３】
0006388958.tif 000004